(57)【要約】【課題】香料付き歯ブラシにおいて、ペットや幼児などに対して歯みがきの習慣を習得させやすく、それでいて噛み付きや咥え込み等によって歯みがきの障害となることがないようにする。【解決手段】植台６に短突子配置部１０と長突子配置部１１とが混在して設けられたブラシ部２と、このブラシ部２を把持し易くするための把持部３とを有しており、ブラシ部２の短突子配置部１０に対して香料が含有されていると共に、長突子配置部１１には香料が非含有とされている。【選択図】図１
2016112126.tif 000002
【特許請求の範囲】
【請求項１】
植台に短突子配置部と長突子配置部とが混在して設けられたブラシ部と、このブラシ部を把持し易くするための把持部とを有しており、
前記ブラシ部の短突子配置部に対して香料が含有されていると共に、前記長突子配置部には香料が非含有とされていることを特徴とする香料付き歯ブラシ。
【請求項２】
前記ブラシ部において、前記長突子配置部は前記短突子配置部に比べて硬質素材により形成されていることを特徴とする請求項１記載の香料付き歯ブラシ。
【請求項３】
前記ブラシ部において、前記長突子配置部は多数の毛材を集合させることにより形成されており、前記短突子配置部は先端が偏平な少なくとも一つのヘラ材により形成されていることを特徴とする請求項１又は請求項２記載の香料付き歯ブラシ。
【請求項４】
前記ブラシ部は、軸状に形成された植台に対して前記長突子配置部と前記短突子配置部とがそれぞれ単一ユニット又は複数ユニットおきに交互配置で設けられたものであって、前記長突子配置部は前記植台の軸まわりで毛材が周隙間を詰めて突出して円盤状に形成されており、前記短突子配置部は前記植台の軸まわりで複数のヘラ材が周間隔をおいて突出して星車状に形成されていることを特徴とする請求項１乃至請求項３のいずれか１項に基材の香料付き歯ブラシ。
【発明の詳細な説明】
【技術分野】
【０００１】
本発明は香料付き歯ブラシに関する。
【背景技術】
【０００２】
歯ブラシにおいて、歯みがき剤などを使用せずとも、ブラッシング時に唾液の分泌を促し、もって口腔内の健康管理（虫歯予防や歯垢除去など）に寄与させる目的のもと、ブラシ部の毛材に香料を含有させたもの（例えば、特許文献１など参照）や、ハンドル部に香料を含有させたもの（例えば、特許文献２など参照）が提案されている。
【先行技術文献】
【特許文献】
【０００３】
【特許文献１】特開２００４−２９０３６３号公報
【特許文献２】特開平１０−２７６８３６号公報
【発明の概要】
【発明が解決しようとする課題】
【０００４】
日常的な歯みがきを未だ習得していない幼児にとって、口腔内へ入れられる歯ブラシは異物として認識する。そのため、香料を含有しない普通の歯ブラシを使用する場合、介助者などが幼児の口腔内へ歯ブラシを差し入れる段階から困難を伴うことがある。まして、言葉の通じないペットであれば、歯みがきは困難を極めるものとなっていた。このような事情に対し、本発明者は、ブラシ部やハンドル部に香料を含有させた従来の香料付き歯ブラシが、ペットや幼児などに無理なく口を開けさせ、歯みがきの習得に至極有効になることを突き止めた。
【０００５】
ところが、ブラシ部に香料を含有させた歯ブラシでは、ペットや幼児などがブラシ部に噛み付いたり強く咥えたりしてしまい、その後のブラッシングまで段階を進めることができないという事態が生じていた。またハンドル部に香料を含有させた歯ブラシでは、香料が口許から離れることでうまくペットや幼児などの嗅覚に届かず、そもそも口を開けてくれないという問題や、逆に、ブラシ部のみならずハンドル部までもを口腔の奥の方まで咥え込んでしまい、ハンドル部を持つ介助者の手までが口腔内へ入ってしまうという問題が生じるおそれがあった。
【０００６】
本発明は、上記事情に鑑みてなされたものであって、ペットや幼児などに対して歯みがきの習慣を習得させやすく、それでいて噛み付きや咥え込み等によって歯みがきの障害となることがないようにした香料付き歯ブラシを提供することを目的とする。
【課題を解決するための手段】
【０００７】
前記目的を達成するために、本発明は次の手段を講じた。
即ち、本発明に係る香料付き歯ブラシは、植台に短突子配置部と長突子配置部とが混在して設けられたブラシ部と、このブラシ部を把持し易くするための把持部とを有しており、前記ブラシ部の短突子配置部に対して香料が含有されていると共に、前記長突子配置部には香料が非含有とされていることを特徴とする。
【０００８】
前記ブラシ部において、前記長突子配置部は前記短突子配置部に比べて硬質素材により形成されたものとするのが好適である。
前記ブラシ部において、前記長突子配置部は多数の毛材を集合させることにより形成されており、前記短突子配置部は先端が偏平な少なくとも一つのヘラ材により形成されているものとするのがよい。
【０００９】
前記ブラシ部は、軸状に形成された植台に対して前記長突子配置部と前記短突子配置部とがそれぞれ単一ユニット又は複数ユニットおきに交互配置で設けられたものであって、前記長突子配置部は前記植台の軸まわりで毛材が周隙間を詰めて突出して円盤状に形成されており、前記短突子配置部は前記植台の軸まわりで複数のヘラ材が周間隔をおいて突出して星車状に形成されたものとするのが好適である。
【発明の効果】
【００１０】
本発明に係る香料付き歯ブラシは、ペットや幼児などに対して歯みがきの習慣を習得さ
せやすく、それでいて噛み付きや咥え込み等によって歯みがきの障害となることがない。
【図面の簡単な説明】
【００１１】
【図１】本発明に係る香料付き歯ブラシの第１実施形態を一部分解して示した斜視図である。
【図２】本発明に係る香料付き歯ブラシの第１実施形態においてブラシ部（植台を除く）を外して示した側面図である。
【図３】本発明に係る香料付き歯ブラシの第１実施形態においてブラシ部を示した側断面図である。
【図４】本発明に係る香料付き歯ブラシの第１実施形態において長突子配置部に用いられる単一ユニット（毛材の集合体）を示した平面図である。
【図５】本発明に係る香料付き歯ブラシの第１実施形態において短突子配置部に用いられる単一ユニット（ヘラ材の集合体）を示した平面図である。
【図６】本発明に係る香料付き歯ブラシの第２実施形態を示した側面図である。
【図７】本発明に係る香料付き歯ブラシの第２実施形態を示した平面図である。
【図８】本発明に係る香料付き歯ブラシの第３実施形態を示した側面図である。
【図９】本発明に係る香料付き歯ブラシの第４実施形態を示した平面図である。
【図１０】本発明に係る香料付き歯ブラシの第５実施形態を示したものであって（ａ）は平面図であり（ｂ）は側面図である。
【発明を実施するための形態】
【００１２】
以下、本発明の実施の形態を、図面に基づき説明する。
図１乃至図５は、本発明に係る香料付き歯ブラシ１の第１実施形態を示している。この歯ブラシ１は、従来公知の歯ブラシと同じように、基本的にはブラシ部２とこのブラシ部２を把持し易くするための把持部３とを有した構成となっている。
図２に示すように、本第１実施形態において把持部３は、ブラシ部２に対して一軸状に配置され且つ直線状に延びるものとしてある。また把持部３は、握りやすい太さの丸棒状に形成され、先端寄りには滑り止めを兼ねるくびれ部４とこのくびれ部４を超えて突出細い首部５が設けられたものとしてある。これに対してブラシ部２は、把持部３の首部５から更に一回り細い棒状に突出する植台６を有して、この植台６の外周を取り囲むように円柱状に形成されたものとしてある。
【００１３】
本発明に係る歯ブラシ１では、図３に示すように、ブラシ部２が、短突子配置部１０と長突子配置部１１とを交互に混在させた構成となっている。長突子配置部１１は、短突子配置部１０に比べて植台６から径方向へ突出する量（長さ）が大きな部分である。逆の言い方をすれば、短突子配置部１０は、長突子配置部１１に比べて植台６から径方向へ突出する量（長さ）が小さな部分である。
【００１４】
これら短突子配置部１０と長突子配置部１１とは、植台６の軸方向（棒形体の長手方向）に沿って交互に配置されたものとなっている。ブラシ部２としての先端部には長突子配置部１１を配置することで、ペットや幼児などに対して視覚的に隠すようにするのが好適である。
なお、本第１実施形態では、短突子配置部１０と長突子配置部１１とがそれらの単一ユニット（一つのパーツとして取り扱える数）おきに植台６の軸方向に沿って交互配置で設けられたものとしてある。但し、この配置上のユニット数は限定されるものではなく、例えばそれぞれ複数ユニットおきの交互配置にしたり、いずれか一方を単一ユニットとして他方を複数ユニット連ねる状態にしたりすることもできる。
【００１５】
短突子配置部１０には香料が含有されている。しかし、香料が含まれているのは短突子配置部１０だけであり、長突子配置部１１に香料は含まれていない（非含有）。また植台６や把持部３に対しても香料は含有されていないものとするのが好適である。ただ、これら植台６や把持部３を香料非含有とさせることは限定事項ではない。
短突子配置部１０に含まれる香料には、例えば本発明の歯ブラシ１をペット用に適用する場合、ペット種が犬系ならばミルク風味とするのが好適であり、ペット種が猫系ならばマタタビ風味とするのが好適である。また本発明の歯ブラシ１を人間用（幼児など用）に
適用する場合では、チョコレート、バナナ、レモン、柑橘類、ペパーミント、スペアミント、梅干しなどの風味とすることもできる。
【００１６】
短突子配置部１０では、これらの香料を含有させやすくするために、エラストマーにより形成されたものとしてある。エラストマーとしては、例えばウレタンゴムやシリコンゴム、フッ素ゴムなどの熱硬化性エラストマーを用いることができる。その他、スチレン系、オレフィン系、塩ビ系、ウレタン系、アミド系などの熱可塑性エラストマーを用いることも可能である。これらの香料は、エラストマーの材料臭（ゴム臭さ等）を消臭して、ペットや幼児などが嫌うのを防止する効果もある。
【００１７】
この短突子配置部１０は、図５に示すように植台６へ嵌める挿通孔１５を有したリング状根部１６に対し、そのまわりに先端を偏平に形成された複数のヘラ材１７が突出する状態に設けられたものである。ヘラ材１７は、植台６の軸まわりで所定の周間隔を保持するように配置されており、これにより短突子配置部１０はリング状根部１６を含めた全体として星車状に形成されている。
【００１８】
なお、図例では３０°おきに合計１２個のヘラ材１７が設けられたものとしているが、周方向間隔や合計数などは適宜変更可能である。また、各ヘラ材１７の形状においても、図例では突出先端が丸みをおびた舌片状としたものを示してあるが、先細りの三角形状としたり、先端が複数に割れた形状としたり、台形状乃至長方形状にしたり（全体として歯車状となる）するなど、適宜変更可能である。
【００１９】
一方、長突子配置部１１は、図４に示すように植台６へ嵌める挿通孔１８を有したリング状根部１９に対し、そのまわりに多数の毛材２０が放射状に突出するように植え付けられたものである。毛材２０は、植台６の軸まわりを取り囲むようにその周隙間が詰められており、これにより長突子配置部１１はリング状根部１９を含めた全体として円盤状に形成されている。
【００２０】
長突子配置部１１の毛材２０は、例えばナイロン、ポリプロピレン、ポリエステルなどによって形成することができる。この毛材に採用する材質は、殊に、短突子配置部１０のヘラ材１７を形成する素材との組み合わせにおいて、長突子配置部１１の方が短突子配置部１０よりも硬質となることを目安として選出するのが好適である。
すなわち、ブラシ部２を口腔内へ差し入れた際、そもそも短突子配置部１０に比べて相対的に突出量の大きな長突子配置部１１は歯茎などに先に接触するようになって、ペットや幼児などに対して食べ物とは違うといった異質感を与える事ができるものであるが、それだけでなく、長突子配置部１１による接触感が短突子配置部１０による接触感より強く現れるような状況によって、食べ物との異質感をより一層強く与えることができるようになる。
【００２１】
以上、説明したところから明らかなように、本発明に係る歯ブラシ１では、ブラシ部２に対し、香料を含んだ短突子配置部１０が設けられていることで、ペットや幼児などにブラシ部２を食べ物であると錯覚させつつ、嫌がらせず、寧ろ自然に（好意をもたせて）口を開けさせることができる。短突子配置部１０のヘラ材１７は、長突子配置部１１の毛材２０よりも体積（ボリュウム）が大きいため、それだけ香料による香り成分の放出効果が高くなることが一つの特徴である。
【００２２】
なお、長突子配置部１１の毛材２０に対して香料を含有させる場合を仮定すると、毛材２０の体積が極めて小さいことから、香り成分の放出効果は稀薄であり、ペットや幼児などに口を開かせる効果も低いと言わざるを得ない。のみならず、香料が毛材２０の材質に悪影響を及ぼして脆性を高めてしまうおそれもある。これらの事情からも、短突子配置部１０のヘラ材１７に対して香料を含有させる意義は高い。
【００２３】
ペットや幼児などの口腔内へブラシ部２を差し入れた後、ペットや幼児などがブラシ部２に噛み付いたり強く咥えたりしようとしても、長突子配置部１１が短突子配置部１０よりも先に、或いは強く、歯茎に接触するようになる。そのため、長突子配置部１１による接触が刺激となり、ペットや幼児などは口を完全には閉じない状況になり（半開きとなり）、介助者はこの間に次のブラッシング段階へと作業を進めることができる。
【００２４】
ブラッシングでは、長突子配置部１１の毛材２０は歯間へ効率よく入り込むことに伴い
、歯垢や食べ滓の除去作用、歯表面の磨き効果、更には歯茎の血行促進などが得られる。かくして、ブラッシング効果を高めるという利点が得られる。のみならず、ブラッシング中においてブラシ部２が口腔内に存在する間は、香料によって唾液の分泌が促されることになる（反射唾液効果）ので、虫歯予防や歯垢除去などが一層高められる利点もある。
【００２５】
なお、短突子配置部１０は、長突子配置部１１と長突子配置部１１との間に挟まれて、丁度、長突子配置部１１の群中に忍ばされた如き配置となっているから、長突子配置部１１に設ける毛材２０の腰を補強し、ブラッシング効果を高めるという利点や、毛材２０の反りを抑制して長寿命化させるという利点もある。
本第１実施形態ではブラシ部２を円柱形としているので、口腔内で歯みがきをする角度（歯列に対してブラシ部２を当てる角度）に何ら制限を受けず、ペットや幼児などに対する介助者によるブラッシングが行い易くなる。殊に、ブラシ部２に対して把持部３が一軸配置で且つ直線的に設けられていることで、この効果が一層高くなっている。
【００２６】
このように、本発明に係る歯ブラシ１では、ブラシ部２をペットや幼児などの口腔内へ差し入れることがいとも簡単にできるので、口腔内へ差しいれたブラシ部２により次のブラッシング段階へとスムーズに移行することができる。従って当然に、ペットや幼児などが歯みがきのたびに逃げまわったり暴れたりすることがなく、歯みがきに係る時間短縮や介助者の作業軽減などが図られ、何より、ペットや幼児などの口腔内健康の維持が図れる等々、幾多の利点が得られるものとなる。
【００２７】
図６及び図７は、本発明に係る香料付き歯ブラシ１の第２実施形態を示している。本第２実施形態では、ブラシ部２が長円形乃至長方形の偏平な植台６を有してその一方の偏平面に短突子配置部１０と長突子配置部１１とが混在して設けられたものとしてある。短突子配置部１０と長突子配置部１１とは、植台６の長手方向で１列ごとの交互配置とされている。その他の細部構成や作用効果等は第１実施形態と略同様であり、同じ作用を奏するものに同じ符号を付することで、ここでの詳説は省略する。
【００２８】
図８は、本発明に係る香料付き歯ブラシ１の第３実施形態を示している。本第３実施形態では短突子配置部１０が呈する列の両端部に対しても、長突子配置部１１の毛材２０の束（符号２１）が設けられたものである。すなわち、短突子配置部１０がその全周を長突子配置部１１によって取り囲まれた配置となっている。
図９は、本発明に係る香料付き歯ブラシ１の第４実施形態を示している。本第４実施形態は、短突子配置部１０が１列で長突子配置部１１が２列となる配置の繰り返しとなったものを示している。その他の細部構成や作用効果等は第１実施形態と略同様であり、同じ作用を奏するものに同じ符号を付することで、ここでの詳説は省略する。
【００２９】
図１０は、本発明に係る香料付き歯ブラシ１の第５実施形態を示している。本第５実施形態は、植台６に一つの突子部のみが設けられたワンタクト型の歯ブラシに対して、本発明を適用したものである。その他の細部構成や作用効果等は第１実施形態と略同様であり、同じ作用を奏するものに同じ符号を付することで、ここでの詳説は省略する。
ところで、本発明は、前記実施形態に限定されるものではなく、実施の形態に応じて適宜変更可能である。
【００３０】
例えば、把持部３は、ブラシ部２と一軸配置で且つ一直線状（棒状）に延び出すように設けることが限定されるものではなく、ブラシ部２から鈍角、直角又は鋭角に屈曲して伸び出すものや、介助者の手を指し込むことのできるようなリング形をしたものにするなど、種々様々な形体をしたものに置換可能である。
ブラシ部２と把持部３との間に、把持部３のまわりで張り出すような鍔部を設けてもよい。このような鍔を設けると、唾液や歯みがき剤などを堰き止めて把持部３を持つ介助者の手が汚れるのを防止できる。また、場合によっては介助者が噛み付かれるのを防止することも可能である。更には、歯ブラシ１をテーブル面に置いたときに把持部３が斜めになり、またブラシ部２が浮き上がるようになるので、把持部３を持ち上げやすいという利点や、ブラシ部２を衛生に保つことができるという利点を得ることができる。
【００３１】
第１実施形態において、ブラシ部２は円柱形に限定されず、円柱形の両端部を細く中央部を太くして全体的に樽型を呈するようにしたり、或いは多角柱形や球形等にしたりする
こともできる。
第１実施形態において、短突子配置部１０のリング状根部１６は複数のヘラ材１７を一体化させることを主目的とするものであり、また長突子配置部１１のリング状根部１９についても、多数の毛材２０を一体集合化させることを主目的とするものである。また、これら各リング状根部１６，１９は、隣接間隔を一定化させるスペーサ的要素でもある。ただ、これらリング状根部１６，１９は必ずしも必要なものではなく、植台６に対して直接的にヘラ材１７や毛材２０を設けてもよい。
【００３２】
前記したように、ブラシ部２の植台６や把持部３に対して香料を含有させてもよい。
長突子配置部１１の毛材２０を短突子配置部１０のヘラ材１７よりも硬質とさせるに際して、毛材２０やヘラ材１７の材質的な硬さだけを要因とするのではなく、毛材２０の太さやヘラ材１７の肉厚に伴う腰の強弱をも調整要因として活用することができる。
本発明に係る歯ブラシ１は、電動歯ブラシとして実施してもよい。
【符号の説明】
【００３３】
１  歯ブラシ
２ ブラシ部
３  把持部
４  くびれ部
５  首部
６  植台
１０  短突子配置部
１１  長突子配置部
１５  挿通孔
１６  リング状根部
１７  ヘラ材
１８  挿通孔
１９  リング状根部
２０  毛材
２１  毛材の束
【図１】
2016112126.tif 000003
【図２】
2016112126.tif 000004
【図３】
2016112126.tif 000005
【図４】
2016112126.tif 000006
【図５】
2016112126.tif 000007
【図６】
2016112126.tif 000008
【図７】
2016112126.tif 000009
【図８】
2016112126.tif 000010
【図９】
2016112126.tif 000011
【図１０】
2016112126.tif 000012